(57)【特許請求の範囲】
【請求項１】
（Ａ）アシルアミノ酸塩と、（Ｂ）アルキルポリグルコシドとを含有し、
前記（Ａ）アシルアミノ酸塩０．００１〜１０質量％と、前記（Ｂ）アルキルポリグルコシド０．００１〜１０質量％とを含有することを特徴とする泡でラインを引く芝のフィールド用マーキング剤。
【請求項２】
前記（Ａ）アシルアミノ酸塩が、ヤシ油脂肪酸グルタミン酸カリウム、ヤシ油脂肪酸グルタミン酸ナトリウム、ヤシ油脂肪酸グルタミン酸トリエタノールアミン、パーム核油脂肪酸グルタミン酸アンモニウム、ラウロイルグルタミン酸ナトリウム、ラウロイルグルタミン酸トリエタノールアミン、ヤシ油脂肪酸トレオニンカリウム、ヤシ油脂肪酸トレオニントリエタノールアミン、パーム核油脂肪酸トレオニンアンモニウム、ヤシ油脂肪酸トレオニンナトリウム、ラウロイルトレオニンナトリウム、ラウロイルトレオニントリエタノールアミン、ヤシ油脂肪酸グリシンカリウム、ヤシ油脂肪酸グリシンナトリウム、パーム核油脂肪酸グリシンアンモニウム、ラウロイルグリシンナトリウム、ラウロイルグリシントリエタノールアミン、ヤシ油脂肪酸セリンカリウム、ヤシ油脂肪酸セリントリエタノールアミン、ラウロイルセリンナトリウム、ラウロイルセリントリエタノールアミン、パーム核油脂肪酸セリンアンモニウム、ヤシ油脂肪酸アスパラギン酸カリウム、ヤシ油脂肪酸アスパラギン酸ナトリウム、ヤシ油脂肪酸アスパラギン酸トリエタノールアミン、パーム核油脂肪酸アスパラギン酸アンモニウム、ラウロイルアスパラギン酸ナトリウムおよびラウロイルアスパラギン酸トリエタノールアミンよりなる群から選ばれる一種以上である請求項１記載の泡でラインを引く芝のフィールド用マーキング剤。
【請求項３】
前記（Ｂ）アルキルポリグルコシドが、デシルグルコシド、ラウリルグルコシド、ミリスチルグルコシドおよびココイルグルコシドよりなる群から選ばれる一種以上である請求項１または２記載の泡でラインを引く芝のフィールド用マーキング剤。
【請求項４】
請求項１〜３のうちいずれか一項記載の泡でラインを引く芝のフィールド用マーキング剤と、噴射剤を有し、前記噴射剤で、前記泡でラインを引く芝のフィールド用マーキング剤を噴射することを特徴とする泡でラインを引く芝のフィールド用マーキングエアゾール剤。
【発明の詳細な説明】
【技術分野】
【０００１】
本発明は、泡でラインを引く芝のフィールド用マーキング剤および泡でラインを引く芝のフィールド用マーキングエアゾール剤に関し、特に、芝への安全性が高く、競技場の芝に簡易にラインを引いてマーキングすることができる泡でラインを引く芝のフィールド用マーキング剤および泡でラインを引く芝のフィールド用マーキングエアゾール剤に関する。
【背景技術】
【０００２】
近年、オリンピックやワールドカップサッカー等の世界的なスポーツイベントが注目を集め、その影響もあって、各地に天然芝や人工芝を使った競技場が増えてきている。かかる競技場では、サッカー、ラグビーや野球等の種々のスポーツが行われているが、スポーツの種類によってルールが異なるため、ルールにあわせてラインが引かれていた。特に、従来は、石灰を用いてラインが引かれていた。しかしながら、石灰は、的確なラインの消去方法がなく、さらに強アルカリのため人体への影響や芝への影響の問題があった。
【０００３】
そこで、特許文献１には、着色顔料と、樹脂バインダーと、溶媒とからなり、顔料容積率（ＰＶＣ）が８０〜９０％で、着色顔料が１次粒子として均質に分散していて、樹脂バインダーは、そのガラス転移温度（Ｔｇ）が１０〜５０℃で、組成物中における着色顔料の濃度が５０〜６０重量％の液状組成物である芝舗装面用ライン・マーキング材が開示され、特許文献２には、ケン化度が９０モル％以上のポリビニルアルコール（Ａ）、平均粒子径が０．５〜１０μｍである脂肪酸処理重質炭酸カルシウム（Ｂ）、顔料（Ｃ）及び水からなり（Ｂ）／（Ａ）の重量比が１〜９の範囲であり、（Ｂ）＋（Ｃ）／（Ａ）＋（Ｂ）＋（Ｃ）の容積率が４０〜９０容積％の範囲である易洗浄性芝用マーキング剤が開示されている。
【０００４】
また、特許文献３には、水溶性アクリル樹脂を固着剤として用いる芝用着色剤組成物が開示され、特許文献４には、発泡促進剤としてエトキシル化ひまし油１０〜３０重量％、発泡調整剤としてココアミドプロピルベタイン０．１〜０．５重量％、及び少なくとも一種の噴射剤を含む発泡組成物をスポーツのコート又はフィールドのある位置上にスプレーする工程を含むスポーツにおける規定距離の一時的境界設定方法が開示されている。
【先行技術文献】
【特許文献】
【０００５】
【特許文献１】特許第４０１１９８２号公報
【特許文献２】特許第５１９１８５８号公報
【特許文献３】特開平０９−２７２８１８号公報
【特許文献４】特許第５１２８７４６号公報
【発明の概要】
【発明が解決しようとする課題】
【０００６】
しかしながら、特許文献１記載の技術は、簡単にラインの消去はできるものの、芝への影響を解決できるものではなかった。また、特許文献２記載の技術は、少しの雨ではラインが消えることなく鮮明性を保持でき、該ラインの消去が水洗浄のみで簡単にできるものの、天然芝への安全性は十分なものではなかった。
【０００７】
さらに、特許文献３記載の技術は、芝に対する固着性、耐水性には効果があったが、天然芝への安全性は十分なものではなかった。また、特許文献４記載の技術は、簡易にラインを形成してマーキングできるものの、天然芝への安全性は十分なものではなかった。
【０００８】
そこで本発明の目的は、前記の従来技術の問題を解決し、芝への安全性が高く、競技場の芝に簡易にラインを引くことができる泡でラインを引く芝のフィールド用マーキング剤および泡でラインを引く芝のフィールド用マーキングエアゾール剤を提供することにある。
【課題を解決するための手段】
【０００９】
本発明者らは、前記課題を解決すべく鋭意検討を行った結果、特定の界面活性剤を組合せることによって、前記目的を達成し得ることを見出し、本発明を完成するに至った。
【００１０】
即ち、本発明の泡でラインを引く芝のフィールド用マーキング剤は、（Ａ）アシルアミノ酸塩と、（Ｂ）アルキルポリグルコシドとを含有し、前記（Ａ）アシルアミノ酸塩０．００１〜１０質量％と、前記（Ｂ）アルキルポリグルコシド０．００１〜１０質量％とを含有することを特徴とするものである。
【００１２】
さらに、本発明の泡でラインを引く芝のフィールド用マーキング剤は、前記（Ａ）アシルアミノ酸塩が、ヤシ油脂肪酸グルタミン酸カリウム、ヤシ油脂肪酸グルタミン酸ナトリウム、ヤシ油脂肪酸グルタミン酸トリエタノールアミン、パーム核油脂肪酸グルタミン酸アンモニウム、ラウロイルグルタミン酸ナトリウム、ラウロイルグルタミン酸トリエタノールアミン、ヤシ油脂肪酸トレオニンカリウム、ヤシ油脂肪酸トレオニントリエタノールアミン、パーム核油脂肪酸トレオニンアンモニウム、ヤシ油脂肪酸トレオニンナトリウム、ラウロイルトレオニンナトリウム、ラウロイルトレオニントリエタノールアミン、ヤシ油脂肪酸グリシンカリウム、ヤシ油脂肪酸グリシンナトリウム、パーム核油脂肪酸グリシンアンモニウム、ラウロイルグリシンナトリウム、ラウロイルグリシントリエタノールアミン、ヤシ油脂肪酸セリンカリウム、ヤシ油脂肪酸セリントリエタノールアミン、ラウロイルセリンナトリウム、ラウロイルセリントリエタノールアミン、パーム核油脂肪酸セリンアンモニウム、ヤシ油脂肪酸アスパラギン酸カリウム、ヤシ油脂肪酸アスパラギン酸ナトリウム、ヤシ油脂肪酸アスパラギン酸トリエタノールアミン、パーム核油脂肪酸アスパラギン酸アンモニウム、ラウロイルアスパラギン酸ナトリウムおよびラウロイルアスパラギン酸トリエタノールアミンよりなる群から選ばれる一種以上であることが好ましく、前記（Ｂ）アルキルポリグルコシドが、デシルグルコシド、ラウリルグルコシド、ミリスチルグルコシドおよびココイルグルコシドよりなる群から選ばれる一種以上であることが好ましい。
【００１３】
本発明の泡でラインを引く芝のフィールド用マーキングエアゾール剤は、前記泡でラインを引く芝のフィールド用マーキング剤と、噴射剤を有し、前記噴射剤で、前記泡でラインを引く芝のフィールド用マーキング剤を噴射することを特徴とするものである。
【発明の効果】
【００１４】
本発明によると、芝への安全性が高く、競技場の芝に簡易にラインを引いてマーキングすることができる泡でラインを引く芝のフィールド用マーキング剤および泡でラインを引く芝のフィールド用マーキングエアゾール剤を提供することができる。
【図面の簡単な説明】
【００１５】
【図１】「芝を用いた薬害試験」の処理直後の芝状態を示す図である。
【図２】「芝を用いた薬害試験」の２日後の芝状態を示す図である。
【図３】「芝を用いた薬害試験」の６日後の芝状態を示す図である。
【図４】「芝を用いた薬害試験」の９日後の芝状態を示す図である。
【発明を実施するための形態】
【００１６】
以下、本発明の泡でラインを引く芝のフィールド用マーキング剤および泡でラインを引く芝のフィールド用マーキングエアゾール剤ついて具体的に説明する。
本発明の泡でラインを引く芝のフィールド用マーキング剤は、（Ａ）アシルアミノ酸塩と、（Ｂ）アルキルポリグルコシドとを含有し、前記（Ａ）アシルアミノ酸塩０．００１〜１０質量％と、前記（Ｂ）アルキルポリグルコシド０．００１〜１０質量％とを含有することを特徴とするものである。これにより、芝への安全性が高く、競技場の芝に簡易にラインを引いてマーキングすることができるフィールド用マーキング剤を提供することができる。また、特に、顔料等を有することなく泡でラインを引くことができるため、ラインを引いた後に短時間でラインが消失し、さらに安全性もより高くなっている。ここで、「短時間」とは、泡の消失によりラインが消失するまでの時間で、例えば、サッカーのフリーキックの際のライン作製では、５〜１０分間くらいの消失時間である。なお、本発明において、「フィールド用」とは、主として、スポーツ等の行われるフィールド用、スポーツフィールド用、競技場用などを示しているが、これらに限定されるものではない。また、芝に対して安全性が高いことから人体などへの安全性も高く、芝以外のフィールドなどにも使用できるものである。
【００１７】
さらにまた、本発明の泡でラインを引く芝のフィールド用マーキング剤は、前記（Ａ）アシルアミノ酸塩０．００１〜１０質量％と、前記（Ｂ）アルキルポリグルコシド０．００１〜１０質量％とを含有することが好ましく、前記（Ａ）アシルアミノ酸塩０．０１〜３質量％と、前記（Ｂ）アルキルポリグルコシド０．０１〜３質量％とを含有することがより好ましく、前記（Ａ）アシルアミノ酸塩０．０３〜１質量％と、前記（Ｂ）アルキルポリグルコシド０．０３〜１質量％とを含有することが、さらにより好ましい。前記（Ａ）アシルアミノ酸塩と前記（Ｂ）アルキルポリグルコシドとを含有していても芝への安全性はかなり高いが、上記範囲とすることで、より安全性を高め、さらに競技場の芝にマーキングしたラインの消失速度を早くすることができる。
【００１８】
また、本発明において、前記（Ａ）アシルアミノ酸塩としては、本発明の効果が得られれば限定されないが、ヤシ油脂肪酸サルコシンナトリウム、ラウロイルサルコシンナトリウム、ミリストイルメチルアミノ酢酸ナトリウム、ラウロイルメチル−β−アラニンナトリウム、ヤシ油脂肪酸グルタミン酸カリウム、ヤシ油脂肪酸グルタミン酸ナトリウム、ヤシ油脂肪酸グルタミン酸トリエタノールアミン、パーム核油脂肪酸グルタミン酸アンモニウム、ラウロイルグルタミン酸ナトリウム、ラウロイルグルタミン酸トリエタノールアミン、ヤシ油脂肪酸トレオニンカリウム、ヤシ油脂肪酸トレオニントリエタノールアミン、パーム核油脂肪酸トレオニンアンモニウム、ヤシ油脂肪酸トレオニンナトリウム、ラウロイルトレオニンナトリウム、ラウロイルトレオニントリエタノールアミン、ヤシ油脂肪酸グリシンカリウム、ヤシ油脂肪酸グリシンナトリウム、パーム核油脂肪酸グリシンアンモニウム、ラウロイルグリシンナトリウム、ラウロイルグリシントリエタノールアミン、ヤシ油脂肪酸セリンカリウム、ヤシ油脂肪酸セリントリエタノールアミン、ラウロイルセリンナトリウム、ラウロイルセリントリエタノールアミン、パーム核油脂肪酸セリンアンモニウム、ヤシ油脂肪酸アスパラギン酸カリウム、ヤシ油脂肪酸アスパラギン酸ナトリウム、ヤシ油脂肪酸アスパラギン酸トリエタノールアミン、パーム核油脂肪酸アスパラギン酸アンモニウム、ラウロイルアスパラギン酸ナトリウムおよびラウロイルアスパラギン酸トリエタノールアミンよりなる群から選ばれる一種以上であることが好ましく、特に、ヤシ油脂肪酸サルコシンナトリウム、ラウロイルサルコシンナトリウム、ミリストイルメチルアミノ酢酸ナトリウム、ラウロイルメチル−β−アラニンナトリウム、ヤシ油脂肪酸グリシンカリウム、ヤシ油脂肪酸グルタミン酸カリウム、ヤシ油脂肪酸グルタミン酸ナトリウム、ラウロイルグルタミン酸ナトリウムであることが好ましい。これにより、人体への安全性をより高めることができる。
【００１９】
かかる（Ａ）アシルアミノ酸塩としては、例えば、日光ケミカルズ株式会社製のＮＩＫＫＯＬ  アラニネート  ＬＮ−３０（商品名）、ＮＩＫＫＯＬ  サルコシネート  ＣＮ−３０（商品名）、ＮＩＫＫＯＬ  サルコシネート  ＬＨ（商品名）、ＮＩＫＫＯＬ  サルコシネート  ＬＮ（商品名）、ＮＩＫＫＯＬ  サルコシネート  ＬＮ−３０（商品名）、ＮＩＫＫＯＬ  サルコシネート  ＭＮ（商品名）、ＮＩＫＫＯＬ  サルコシネート  ＯＨ（商品名）、ＮＩＫＫＯＬ  サルコシネート  ＰＮ（商品名）、味の素株式会社製のアミライトＧＣＫ−１２Ｋ（商品名）、アミライトＧＣＳ−１２Ｋ（商品名）、アミライトＥＴ−ＣＳ−１２（商品名）等のアミライトシリーズ、アミソフトＬＳ−１１（商品名）、アミソフトＬＴ−１２（商品名）、アミソフトＣＫ−１１（商品名）等のアミソフトシリーズ等を挙げることができる。
【００２０】
また、本発明において、前記（Ｂ）アルキルポリグルコシド（アルキルグルコシド）としては、本発明の効果が得られれば限定されないが、デシルグルコシド、ラウリルグルコシド、ミリスチルグルコシドおよびココイルグルコシドよりなる群から選ばれる一種以上であることが好ましく、特に、ラウリルグルコシドであることが好ましい。これにより、人体への安全性をより高めることができる。
【００２１】
かかる（Ｂ）アルキルポリグルコシドとしては、例えば、花王株式会社製のマイドール１０（商品名）、マイドール１２（商品名）、ＢＡＳＦ社製のプランタケア２０００ＵＰ（商品名）、プランタケア１２００ＵＰ（商品名）、プランタケア８１８ＵＰ（商品名）、プランタケア８００ＵＰ（商品名）等のプランタケアシリーズ等を挙げることができる。
【００２２】
本発明の泡でラインを引く芝のフィールド用マーキングエアゾール剤は、前記泡でラインを引く芝のフィールド用マーキング剤と、噴射剤を有し、前記噴射剤で、前記泡でラインを引く芝のフィールド用マーキング剤を噴射することを特徴とするものである。これにより、芝への安全性が高く、競技場の芝に簡易にラインを引いてマーキングすることができる泡でラインを引く芝のフィールド用マーキングエアゾール剤を提供することができる。また、前記噴射剤により前記泡でラインを引く芝のフィールド用マーキング剤をより発泡させてラインを引くため、ラインを引いた後により効果的に短時間でラインを消失することができる。
【００２３】
本発明において、前記噴射剤としては、本発明の効果が得られれば限定されないが、例えば、炭酸ジアルキル、ＬＰＧ（液化石油ガス）、炭酸ガス等を挙げることができるが、環境等を考慮して、ＬＰＧであることが好ましい。
【００２４】
また、本発明において、エアゾール中の噴射剤と前記泡でラインを引く芝のフィールド用マーキング剤の割合は、前記泡でラインを引く芝のフィールド用マーキング剤を噴射できれば限定されないが、泡でラインを引く芝のフィールド用マーキングエアゾール剤中、５．０〜３０．０質量％であることが好ましく、１０．０〜２０．０質量％であることがより好ましい。かかる範囲とすることで、本発明の泡でラインを引く芝のフィールド用マーキング剤の芝への噴射を効率よく行うことができ、より容易にマーキングすることができる。
【００２５】
さらに、本発明の泡でラインを引く芝のフィールド用マーキング剤および泡でラインを引く芝のフィールド用マーキングエアゾール剤は、特に、芝に適用されるものであり、芝の種類は限定されないが、競技場でよく使用される芝であることが好ましく、野芝、高麗芝、姫高麗芝等の日本芝、バーミューダグラス類、ティフトン類、ウィーブングラブグラス、ベントグラス類、ブルーグラス類、フェスク類、レイグラス類等の西洋芝を挙げることができ、中でもバーミューダグラス類が特に好ましい。
【００２６】
また、本発明において、本発明の効果が損なわれない範囲で、適宜他の成分等を添加することもできる。質的、量的範囲で上記以外の任意の成分を配合することができ、フィールド用マーキング剤等に通常配合される成分、例えば、油性成分、保湿剤、酸化防止剤、防腐剤、香料、各種ビタミン剤、キレート剤、着色剤、紫外線吸収剤、薬効成分、無機塩類等を配合することができる。ただし、顔料等は添加することは可能であるが、使用後もラインが消えにくく、芝への安全性も損ねるため、添加することは好ましくない。
【００２７】
以下、本発明について、実施例を用いてさらに詳細に説明するが、本発明はこれらの実施例に限定されるものではない。以下、処方中の配合量は「質量％」を示す。
【実施例】
【００２８】
（実施例１、比較例１および２）
下記表１記載の処方に従ってフィールド用マーキング剤を作製し、該フィールド用マーキング剤８７．９質量％に対し、ＬＰＧを１２．１質量％加えて、実施例１のフィールド用マーキングエアゾール剤を作製した。得られたフィールド用マーキングエアゾール剤を使用して、下記「芝を用いた薬害試験」を実施した。また、比較例１として、無噴射、比較例２として、市販品のフィールド用マーキングエアゾール剤（雑貨で、成分表記は、水、界面活性剤、尿素、ＬＰガスである）を使用した。なお、以下、表中において、「ＮＩＫＫＯＬ  サルコシネート  ＣＮ−３０（商品名）」は日光ケミカルズ株式会社製でヤシ油脂肪酸サルコシンナトリウムの３０％液であり、「マイドール１２（商品名）」は花王株式会社製でラウリルグルコシドの４０％液である。
【００２９】
【表１】
0005963986.tif 000002
【００３０】
（芝を用いた薬害試験）
試験機関：公益財団法人日本植物調節剤研究協会
試験場所：埼玉スタジアム２００２  第３グラウンド
試験期間：平成２７年８月１９日〜平成２７年９月９日
芝品種：改良バーミューダグラス
栽植様式：張り芝
造成植付年：２００２年１０月
試験規模：１区  ｍ２（１．５ｍ×２ｍ）、２反復
芝への噴射量：実施例１の噴射量は２秒／ｍ、実施例１の３倍噴射量は６秒／ｍ、比較例２の噴射量は１秒／ｍ
使用量の算出：試験前と試験後の質量を測定し、その差をもって試験とし、０．０１ｇ以下を四捨五入し、０．１ｇ単位で求める
評価：外観の変化の程度を「公益財団法人  日本植物調節剤研究協会  芝  本成績・概要カード記入要項の薬害程度の項」を準用して、下記基準で評価した。
「無」：薬害がない状態
「微」：僅かに薬害が認められるが、生育への影響はなく、実用的に全く問題とならない状態
「小」：やや強い薬害の症状が見られるが回復し実用上許容できる状態
【００３１】
「芝を用いた薬害試験」の結果を下記表２に示す。
【００３２】
【表２】
0005963986.tif 000003
【００３３】
図１は、「芝を用いた薬害試験」の処理直後の芝状態を示す図、図２は、「芝を用いた薬害試験」の２日後の芝状態を示す図、図３は、「芝を用いた薬害試験」の６日後の芝状態を示す図、図４は、「芝を用いた薬害試験」の９日後の芝状態を示す図である。図１〜４中、１が実施例１の標準量、２が実施例１の３倍量、３が比較例２の参考品の標準量、付番の無い部分が比較例１の無噴射である。図１〜４および表２の結果から、実施例１のフィールド用マーキングエアゾール剤は、１日後〜４日後までが「微」で、６日後以降は薬害が見られず、また３倍量噴射した場合でも、９日後には薬害が見られず、芝への安全性が極めて高いものであった。一方、比較例２は、９日後には薬害が見られないが、２日後〜６日後では、芝への薬害が少し見られ、実施例１のフィールド用マーキングエアゾール剤と比較して、安全性は低いものであった。また、実施例１のフィールド用マーキングエアゾール剤を使用して、競技場の芝に簡易にラインを引いてマーキングすることができ、ラインを引いた後に約８分の短時間でラインが消失した。
【００３４】
（実施例２および３）
下記表３記載の処方に従ってフィールド用マーキング剤を作製し、該フィールド用マーキング剤８７．９質量％に対し、ＬＰＧを１２．１質量％加えて、実施例２および３のフィールド用マーキングエアゾール剤を作製した。
【００３５】
【表３】
0005963986.tif 000004
【００３６】
得られた実施例２および実施例３のフィールド用マーキングエアゾール剤を使用して、芝に使用したところ、実施例１のフィールド用マーキングエアゾール剤と同様に、芝への安全性が極めて高いものであった。また、実施例２および実施例３のフィールド用マーキングエアゾール剤を使用して、競技場の芝に簡易にラインを引いてマーキングすることができ、ラインを引いた後に短時間でラインが消失した。
【００３７】
（実施例４、比較例３および４）
下記表４記載の処方に従ってフィールド用マーキング剤を作製し、該フィールド用マーキング剤８７．９質量％に対し、ＬＰＧを１２．１質量％加えて、実施例４のフィールド用マーキングエアゾール剤を作製した。得られたフィールド用マーキングエアゾール剤を使用して、下記「生育障害に関する栽培試験」を実施した。また、比較例３として、無噴射、比較例４として、比較例２と同じ市販品のフィールド用マーキングエアゾール剤（雑貨で、成分表記は、水、界面活性剤、尿素、ＬＰガスである）を使用した。
【００３８】
【表４】
0005963986.tif 000005
【００３９】
（生育障害に関する栽培試験）
試験機関として、公益財団法人日本肥糧検定協会で、「生育障害に関する栽培試験」を行った。また、「生育障害に関する栽培試験」は、昭和５９年４月１８日付５９農蚕第１９４３号農林水産省農蚕園芸局長通知「植物に対する害に関する栽培試験の方法」に準じて行った。
供試作物として「こまつな」を使用し、供試土壌は下記表５の土壌を使用した。「こまつな」への噴射量は、実施例４および比較例４は、３ｇ噴射し、比較例３は無噴射とした。
【００４０】
【表５】
0005963986.tif 000006
【００４１】
「生育障害に関する栽培試験」の結果を下記表６に示す。
【００４２】
【表６】
0005963986.tif 000007
【００４３】
表６の結果から、実施例４のフィールド用マーキングエアゾール剤は、子葉および本葉に僅かな変色が認められたが、軽微であり植物の生育量（草丈ならびに生体重）は比較例３の無噴射と同じであった。一方、比較例４のフィールド用マーキングエアゾール剤は、子葉および本葉のほとんどに黄褐色の変色が認められ、葉が一部枯死した。また、生育量（草丈ならびに生体重）は比較例３の無噴射と比較して小さくなった。従って、実施例４のフィールド用マーキングエアゾール剤は、植物への安全性がきわめて高かった。また、実施例４のフィールド用マーキングエアゾール剤を使用して、競技場の芝に簡易にラインを引いてマーキングすることができ、ラインを引いた後に短時間でラインが消失した。
【００４４】
（実施例５）
下記表７記載の処方に従ってフィールド用マーキング剤を作製し、該フィールド用マーキング剤８７．９質量％に対し、ＬＰＧを１２．１質量％加えて、実施例５のフィールド用マーキングエアゾール剤を作製した。
【００４５】
【表７】
0005963986.tif 000008
【００４６】
（実施例６）
下記表８記載の処方に従ってフィールド用マーキング剤を作製し、該フィールド用マーキング剤８１．０質量％に対し、ＬＰＧを１９．０質量％加えて、実施例６のフィールド用マーキングエアゾール剤を作製した。
【００４７】
【表８】
0005963986.tif 000009
【００４８】
得られた実施例５および実施例６のフィールド用マーキングエアゾール剤を使用して、「こまつな」に使用したところ、実施例４のフィールド用マーキングエアゾール剤と同様に、「こまつな」への安全性が極めて高いものであった。また、実施例５および実施例６のフィールド用マーキングエアゾール剤を使用して、競技場の芝に簡易にラインを引いてマーキングすることができ、ラインを引いた後に短時間でラインが消失した。
【００４９】
（実施例７）
下記表９記載の処方に従ってフィールド用マーキング剤を作製し、該フィールド用マーキング剤８１．０質量％に対し、ＬＰＧを１９．０質量％加えて、実施例７のフィールド用マーキングエアゾール剤を作製した。なお、表９中において、「ＮＩＫＫＯＬ  アラニネート  ＬＮ−３０（商品名）」は日光ケミカルズ株式会社製でラウロイルメチル−β−アラニンナトリウムの３０％液である。
【００５０】
【表９】
0005963986.tif 000010
【００５１】
得られた実施例７のフィールド用マーキングエアゾール剤を使用して、「こまつな」に使用したところ、「こまつな」への安全性が極めて高いものであった。また、実施例７のフィールド用マーキングエアゾール剤を使用して、競技場の芝に簡易にラインを引いてマーキングすることができ、ラインを引いた後に短時間でラインが消失した。
【００５２】
（実施例８）
下記表１０記載の処方に従ってフィールド用マーキング剤を作製し、該フィールド用マーキング剤８１．０質量％に対し、ＬＰＧを１９．０質量％加えて、実施例８のフィールド用マーキングエアゾール剤を作製した。なお、表１０中において、「ソイポン  Ｍ−３０（商品名）」は川研ファインケミカル株式会社製でミリストイルメチルアミノ酢酸ナトリウムの３０％液である。
【００５３】
【表１０】
0005963986.tif 000011
【００５４】
得られた実施例８のフィールド用マーキングエアゾール剤を使用して、「こまつな」に使用したところ、「こまつな」への安全性が極めて高いものであった。また、実施例８のフィールド用マーキングエアゾール剤を使用して、競技場の芝に簡易にラインを引いてマーキングすることができ、ラインを引いた後に短時間でラインが消失した。
【００５５】
（実施例９）
下記表１１記載の処方に従ってフィールド用マーキング剤を作製し、該フィールド用マーキング剤８１．０質量％に対し、ＬＰＧを１９．０質量％加えて、実施例９のフィールド用マーキングエアゾール剤を作製した。なお、表１１中において、「アミライト  ＧＣＫ−１２Ｋ（商品名）」は味の素株式会社製でヤシ油脂肪酸グリシンカリウムの３０％液である。
【００５６】
【表１１】
0005963986.tif 000012
【００５７】
得られた実施例９のフィールド用マーキングエアゾール剤を使用して、「こまつな」に使用したところ、「こまつな」への安全性が極めて高いものであった。また、実施例９のフィールド用マーキングエアゾール剤を使用して、競技場の芝に簡易にラインを引いてマーキングすることができ、ラインを引いた後に短時間でラインが消失した。
【要約】
【課題】芝への安全性が高く、競技場の芝に簡易にラインを引いてマーキングすることができるフィールド用マーキング剤およびフィールド用マーキングエアゾール剤を提供する。
【解決手段】（Ａ）アシルアミノ酸塩と、（Ｂ）アルキルポリグルコシドとを含有するフィールド用マーキング剤である。また、フィールド用マーキング剤と、噴射剤を有し、噴射剤でフィールド用マーキング剤を噴射するフィールド用マーキングエアゾール剤である。（Ａ）アシルアミノ酸塩０．００１〜１０質量％と、（Ｂ）アルキルポリグルコシド０．００１〜１０質量％とを含有することが好ましい。
【選択図】図４【図１】
0005963986.tif 000013
【図２】
0005963986.tif 000014
【図３】
0005963986.tif 000015
【図４】
0005963986.tif 000016